(57)【特許請求の範囲】
【請求項１】
保持機構により支持されるサイドレールを具備した背ボトムと腰ボトムと脚ボトムからなる上部フレームにおいて、該サイドレールを構成する第一サイドレールが左側、第二サイドレールが右側に配置され、この第一サイドレール及び第二サイドレールを外からボトム側に見た状態を正面視としたときに、正面視において該背ボトムの背上げに併せて該腰ボトムが時計周りに、該脚ボトムが反時計回りにそれぞれ回動することで略ハ字状に隆起する連動状態と、該背ボトムのみ背上げ可能で腰ボトムと脚ボトムが水平をなす非連動状態に切替可能に構成されたストレッチャーやベッドにおいて、該背ボトムの両側部に設けた第一支持軸には第一取付部材を、第二支持軸には第二取付部材をそれぞれ回動可能に軸着し、該腰ボトムの両側部に設けた腰支持ボスに第三支持軸の取付軸を挿通して回動可能に軸着し、該脚ボトムの両側部に設けた脚ガイドプレートの規制孔の左右方向に第四支持軸の取付軸を摺動可能に軸着し、該第三支持軸には該第二取付部材を、該第四支持軸には該第一取付部材をそれぞれ回動可能に軸着し、該第一取付部材及び該第二取付部材を介して左右対称に形成した第一サイドレールと第二サイドレールを背ボトムのみ背上げ可能な非連動状態で背ボトムを背上げした際に該第一サイドレールが該第二サイドレールに干渉しない間隔をおいて取付けることで、背ボトムの背上げに併せて腰ボトムと脚ボトムが動作して略ハ字状に隆起する連動状態においては、腰ボトムと脚ボトムが略ハ字状に隆起するのに併せて前記第三支持軸を回動中心として前記第四支持軸が反時計回りに回動しながら前記脚ガイドプレートの規制孔の左端方向に該第四支持軸の取付軸が摺動し第二サイドレールがやや右上方に傾くことで、連動状態で背上げする際に発生する第一サイドレールと第二サイドレールのすき間の幅が、背ボトムのみ背上げ可能な非連動状態で背上げする際に発生する第一サイドレールと第二サイドレールのすき間の幅に対して変化しないことを特徴とする背上げ対応サイドレール。
【請求項２】
面構成にした前記サイドレールの中空部に前記第二取付部材を挿通すると共に、前記サイドレールの立設状態で外側面に解除レバーを配置したことを特徴とする請求項１に記載の背上げ対応サイドレール。
【発明の詳細な説明】
【技術分野】
【０００１】
本発明は、背上げ対応サイドレールに関するものである。
【背景技術】
【０００２】
従来より、病院や施設などで身体の不自由な人や介護が必要な高齢者など（以下、利用者とする）を、ベッド等から所定の場所まで移動させる手段としてストレッチャーが用いられている。
そして、このストレッチャーは、利用者の仰臥姿勢の安定を図るために、ストレッチャーのボトムが背上げ可能なものがある。
また、ボトムの構成を背ボトムと腰ボトムと脚ボトムの３分割にし、腰ボトムと脚ボトムが背上げと連動して利用者の膝を持ち上げるように動作するストレッチャーもあり、利用者の仰臥姿勢の安定の効果をより高めるものとなっている。
さらに、利用者が落下防止するためにボトムの両側部にサイドレールが具備されている。
従来のサイドレールは、ボトムの側部に穿設した孔部に差し込むものや、ボトムの側部に設けた水平軸に回動自在に軸承したサイドレールをスプリングなどにより一方に付勢し、サイドレールとボトムの側縁部に設けたそれぞれの歯の噛合によって立設状態を保持するように構成した係合部を備えているものであった。
【０００３】
しかしながら、前者のような着脱式サイドレールは、利用者をベッド等からストレッチャーに移載する時に、サイドレールを取り外したり、保管場所を確保するなど手間がかかるものとなっている。
また、後者のような回動式サイドレールは、上述した背上げ動作をするためには、背側と脚側にサイドレールを分割しなければならず、背上げ時に背側と脚側のそれぞれのサイドレールのすき間の幅が少なくなるものとなっている。
このすき間に利用者の身体が誤って挟まれる可能性があり、危険を伴うものであった。
以下、すき間について図１１にて詳述する。
この図１１では、背ボトム８１と腰ボトム８２と脚ボトム８３に分割されるフレームとサイドレールとの関係を示している。なお、図１１（ａ）〜（ｃ）は、第一サイドレール１１が背ボトム８１に、第二サイドレール１２が腰ボトム８２に配設され、図１１（ａ）は各ボトムが水平状態、図１１（ｂ）は背ボトム８１が背上げ状態で腰ボトム８２と脚ボトム８３が非連動状態、図１１（ｃ）は背ボトム８１が背上げ状態で腰ボトム８２と脚ボトム８３が連動状態である。
まず、図１１（ｂ）では、背ボトム８１を背上げすることで、図１１（ａ）の第一サイドレール１１と第二サイドレール１２のすき間Ｃａに比べて図１１（ｂ）の第一サイドレール１１と第二サイドレール１２のすき間Ｃｂが小さくなり、身体の挟み込みの危険がある。
そして、図１１（ｃ）では、背ボトム８１の背上げに腰ボトム８２と脚ボトム８３が連動することで第一サイドレール１１と第二サイドレール１２がＣｃの幅分、干渉してしまう。また、連動した際に右下がりになった第二サイドレール１２と右上がりになった脚ボトム８３との間にもすき間Ｃｄができることで、利用者などの身体の挟み込みの危険がある。
なお、図示は省略しているが、脚ボトム８３に第二サイドレール１２を取付けても、右下がりになった腰ボトム８２と右上がりになった第二サイドレール１２との間にすき間が発生して図１１（ｃ）と同様な現象がおこるものとなっている。
【０００４】
そこで、この問題を解決するために以下の背上げ対応サイドレールが提案されている。
【０００５】
まず、特許文献１について説明する。
上肢部が上方に回動できる機構を有する担架本体の胴体側の両側に第一のサイドフェンスを設けた担架において、前記担架本体の頭部側の両側に、転倒が可能となる第二のサイドフェンスが備えられ、前記第二のサイドフェンスは、その内側に緩衝材が設けられており、前記緩衝材は、前記第二のサイドフェンスと前記第一のサイドフェンスとの間の第１の隙間内に突出する第１張出部と、前記第二のサイドフェンスと前記担架本体との間の第２の隙間内に突出する第２張出部とを備えており、前記第二のサイドフェンスは、前記第一のサイドフェンスの延長線上にある場合には前記緩衝材の第１張出部により前記第１の隙間が小さくなるか塞がれ、前記第一のサイドフェンスに対して上側に起こされた位置にある場合には第一のサイドフェンスの傾斜端部と前記緩衝材の第１張出部とが略平行となって接近又は接触することで前記第１の隙間が小さくなるか塞がれるように構成したことにより、担架上に載せられている被介助者の上肢部が誤って担架から滑り落ちることや、被介助者の腕や手等が担架の外側にはみ出すことがなくなるものである。
次に、特許文献２について説明する。
ボトムに起伏機構を有するベッドあるいはストレッチャー等において、屈曲する夫々のボトム側部にサイドレール枠を夫々が回動自在となるように枢着し、これらのサイドレール枠を屈曲自在かつ伸縮可能な芯材で連結することによって一体的なサイドレールとして構成するとともに、該サイドレールには立位状態を保持するストッパ機構を備え、該サイドレールが立位状態にあるとき前記ボトムの側面側からの転落を防止するとともに、前記ボトムが起伏機構によって起立する時、起立するボトムに対応するサイドレール枠も起立するとともに、前記芯材が適当な曲率の円弧となり前記ボトムが屈曲した状態であってもボトム側面側からの転落を防止でき、且つ、必要に応じて前記ロック機構を解除することによってボトム側方から下方へ回動可能となるよう構成したことで、側方からの転落防止が可能となり、また、個々のボトムにサイドレール枠が付設され、起伏機構によって起立するボトムと同時にサイドレール枠も起立するだけでなく、サイドレール枠間を屈曲自在かつ伸縮可能な芯材で連結しているので、該芯材が適度に伸縮するとともに適当な曲率の円弧状となり、サイドレール枠間での挟み込みがない。また、ボトムが水平状態にないときであっても該芯材の適当な伸縮、屈曲によって回動が行えるものである。
【先行技術文献】
【特許文献】
【０００６】
【特許文献１】特許第４６６３２６９号
【特許文献２】特許第４７８０５７３号
【発明の概要】
【０００７】
しかしながら、特許文献１に記載の担架は、隙間が小さくなるもしくは塞がるため、第一のサイドフェンスと第二のサイドフェンスの隙間が一定ではなく、常に隙間に身体が挟まれることが無いか気にしながらストレッチャーを使用しなければならない煩わしさがあった。また、背ボトムの起立にのみ対応したもので上肢部の安全のために発明されたものであり、利用者の仰臥姿勢の安定のために利用者の膝付近のボトムを隆起させる構成のストレッチャーにおいては使用することができないものとなっている。
そして、特許文献２に記載の背上げ対応型サイドレールは、ボトム側部にサイドレール枠を屈曲自在かつ伸縮可能な芯材で連結することによって一体的なサイドレールとして構成することで、あらゆるボトムの構成に対応することが可能となるが、サイドレールをボトム側から下方へ回動するためには複数のロック機構を同時に操作しなければならず、操作が煩わしいものとなっている。
【発明が解決しようとする課題】
【０００８】
そこで、本願発明が解決しようとする課題は、背ボトムと腰ボトムと脚ボトムからなる上部フレームの連動もしくは非連動に併せて第一サイドレールと第二サイドレールが姿勢変更し、背上げ時の第一サイドレールと第二サイドレールのすき間の幅が変わらないようにすることで、安全に使用可能な背上げ対応サイドレールを提供すること。
【課題を解決するための手段】
【０００９】
本発明の背上げ対応サイドレールは、保持機構により支持されるサイドレールを具備した背ボトムと腰ボトムと脚ボトムからなる上部フレームにおいて、該サイドレールを構成する第一サイドレールが左側、第二サイドレールが右側に配置され、この第一サイドレール及び第二サイドレールを外からボトム側に見た状態を正面視としたときに、正面視において該背ボトムの背上げに併せて該腰ボトムが時計周りに、該脚ボトムが反時計回りにそれぞれ回動することで略ハ字状に隆起する連動状態と、該背ボトムのみ背上げ可能で腰ボトムと脚ボトムが水平をなす非連動状態に切替可能に構成されたストレッチャーやベッドにおいて、該背ボトムの両側部に設けた第一支持軸には第一取付部材を、第二支持軸には第二取付部材をそれぞれ回動可能に軸着し、該腰ボトムの両側部に設けた腰支持ボスに第三支持軸の取付軸を挿通して回動可能に軸着し、該脚ボトムの両側部に設けた脚ガイドプレートの規制孔の左右方向に第四支持軸の取付軸を摺動可能に軸着し、該第三支持軸には該第二取付部材を、該第四支持軸には該第一取付部材をそれぞれ回動可能に軸着し、該第一取付部材及び該第二取付部材を介して左右対称に形成した第一サイドレールと第二サイドレールを背ボトムのみ背上げ可能な非連動状態で背ボトムを背上げした際に該第一サイドレールが該第二サイドレールに干渉しない間隔をおいて取付けることで、背ボトムの背上げに併せて腰ボトムと脚ボトムが動作して略ハ字状に隆起する連動状態においては、腰ボトムと脚ボトムが略ハ字状に隆起するのに併せて前記第三支持軸を回動中心として前記第四支持軸が反時計回りに回動しながら前記脚ガイドプレートの規制孔の左端方向に該第四支持軸の取付軸が摺動し第二サイドレールがやや右上方に傾くことで、連動状態で背上げする際に発生する第一サイドレールと第二サイドレールのすき間の幅が、背ボトムのみ背上げ可能な非連動状態で背上げする際に発生する第一サイドレールと第二サイドレールのすき間の幅に対して変化しないことを特徴としている。
そして、面構成にした前記サイドレールの中空部に前記第二取付部材を挿通すると共に、前記サイドレールの立設状態で外側面に解除レバーを配置したことを特徴としている。
【発明の効果】
【００１０】
本発明の背上げ対応サイドレールは、前述のように構成することで、利用者等の身体が第一サイドレールと第二サイドレールによって挟まれる心配をすることがなく、背上げ動作を安全に実施することができるものとなっている。
また、ストレッチャーのサイドレールのロック解除を利用者側からでは操作できないようにしたことで、不意にサイドレールが倒れて利用者がストレッチャーから誤って転落することを防止することができ、安全に使用することができるものとなっている。
【図面の簡単な説明】
【００１１】
【図１】図１はストレッチャーＳの全体を示す正面図
【図２】図２はストレッチャーＳの全体を示す平面図
【図３】図３はストレッチャーＳの全体を示す側面図
【図４】図４はベースフレーム３と支柱４と下部フレーム５とチルト部６の組付け状態を示す斜視図
【図５】図５は上部フレーム８の組付け状態を示す斜視図
【図６】図６は背ボトム８１を背上げした状態を示す正面図
【図７】図７は上部フレーム８が連動時の背ボトム８１を背上げした状態を示す正面図
【図８】図８は上部フレーム８が非連動時の背ボトム８１を背上げした状態を示す正面図
【図９】図９は第一サイドレール１１と保持機構２を示す分解斜視図
【図１０】図１０は第二サイドレール１２と保持機構２を示す分解斜視図
【図１１】図１１は上部フレーム８とサイドレール１の関係を示す模式図
【発明を実施するための形態】
【実施例１】
【００１２】
以下、本発明のストレッチャーＳにおける背上げ対応サイドレール１について図面を基に説明する。このストレッチャーＳは、主に前後左右に移動自在となるよう構成したベースフレーム３と、このベースフレーム３に立設される支柱４と、支柱４に支持される下部フレーム５と、下部フレーム５にチルト部６及び切替部７を介して支持される背ボトム８１と腰ボトム８２と脚ボトム８３で構成される上部フレーム８と、上部フレーム８に取着される保持機構２と、保持機構２で支持されるサイドレール１で構成されている。なお、本実施例では利用者の身体を洗体介助するために使用される、入浴介助用ストレッチャーを使用する。
また、本実施例では図２に示すように、利用者の身体を保持するためのマットＭ、マクラＰ、安全ベルトＢを具備しているが、図３以降の説明では、本願発明の内容を分かりやすくするためにこれらの図示を省略している場合がある。
【００１３】
まず、ベースフレーム３について説明する。
ベースフレーム３は、図４に示すように、一定間隔をおいて略平行に配設された一対のサイドパイプ３ａ，３ａにツナギパイプ３ｂ，３ｂが固着されている。そして、該サイドパイプ３ａ，３ａの前後端部に床面を走行可能とするための車輪３ｃ，３ｃ，・・・が、車輪取付具３ｄ，３ｄ，・・・を介して取付けられている。
そして、前記ツナギパイプ３ｂ，３ｂには支柱４が回動可能に軸着されている。
【００１４】
次に、支柱４について説明する。
図６に示すように、伸縮手段４１を昇降ハンドル４２で操作することにより、平行リンクを用いたリンク機構からなる支柱４が作用してベースフレーム２に対して下部フレーム５を昇降するように構成している。
詳述すると、一定間隔をおいて略平行に配設された支柱パイプ４ａ，４ａ，・・・の両端に支柱支持ボス４ｂ，４ｂ，・・・を固着し、一方の該支柱支持ボス４ｂを前記ツナギパイプ３ｂ，３ｂに穿設した孔３１ｂ，３１ｂ・・・に回動可能に軸着し、他方の該支柱支持ボス４ｂを後述する下部フレーム５の支柱支持フレーム５１の支持フレームパイプ５１ａ，５１ａに穿設した孔５１１ａ，５１１ａ，・・・に回動可能に軸着している。
そして、一方の前記支柱パイプ４ａの略中間位置にツナギパイプ４ｄを配設し、前記支柱パイプ４ａ，４ａに固着している。
そして、前記ツナギパイプ４ｄの略中間位置に略コ字状のクドウシジプレート４ｃを固着している。
そして、該クドウシジプレート４ｃと後述する下部フレーム５の伸縮手段トリツケプレート５１ｄ，５１ｄの間に伸縮手段４１を取付けている。
該伸縮手段４１は、本実施例では図示は省略するが、螺子軸とナット部材を用いて昇降ハンドル４２を回動操作することによって、ナット部材に沿って螺子軸を移動させることで、支柱４が作用してベースフレーム２に対して下部フレーム５が昇降するように構成している。
なお、本実施例では螺子軸とナット部材を用いたが、上述した伸縮手段とは異なり、モーター等の駆動力あるいは油圧シリンダ等を用いてもよく、支柱４が昇降可能なものであれば本実施例に限定するものではない。
【００１５】
次に、下部フレーム５について説明する。
図４等で示すように、この下部フレーム５は主に、支柱支持フレーム５１とチルトフレーム５２で構成されている。
まず、支柱支持フレーム５１を説明する。
平面視において一定間隔をおいた支柱支持フレームパイプ５１ａ，５１ａの一端に支持フレームツナギ５１ｂを、他端に平面視において略コ字状の支持フレームツナギプレート５１ｃをそれぞれ固着している。
そして、該支持フレームツナギ５１ｂの中間付近に、一定間隔をおいた伸縮手段トリツケプレート５１ｄ，５１ｄを固着している。
次に、チルトフレーム５２を説明する。
平面視において一定間隔をおいたチルトフレームパイプ５２ａ，５２ａの一端にチルトフレームツナギ５２ｂ，５２ｃを固着している。
なお、該チルトフレームパイプ５２ａ，５２ａと該チルトフレームツナギ５２ｃの間には、後述する脚ボトム８３を取付ける脚ボトムガイドプレート５２ｄ，５２ｄを配設して固着している。
また、該チルトフレームパイプ５２ａ，５２ａの一端に、後述する切替部７を係止するための切替ピン５２ｅを固着している。
なお、該切替ピン５２ｅには、一定間隔おいたシテンプレート５２ｆ，５２ｆを挿通し、該チルトフレームツナギ５２ｂを介設して固着している。
そして、該チルトフレームパイプ５２ａ，５２ａの内側には、後述する背ボトム８１を軸着するための背ボトムシテンプレート５２ｇ，５２ｇを、外側には後述する腰ボトム８２を軸着するための腰シテンプレート５２ｈ，５２ｈをそれぞれ固着している。
そして、該チルトフレームパイプ５２ａ，５２ａの上方には、側面視において略コ字状のチルトシテンプレート５２ｉを固着している。
このように構成した支柱支持フレーム５１とチルトフレーム５２は、支柱支持フレームパイプ５１ａ，５１ａの略中間位置付近に設けたチルトシテンボス５１ｅ，５１ｅに、チルトフレームパイプ５２ａ，５２ａに穿設した孔５２１ａ，５２１ａを介して軸着することで、該チルトフレーム５２に対して該支柱支持フレーム５１が回動可能に取付けられる。
そして、該支柱支持フレーム５１と該チルトフレーム５２の一端側には後述するチルト部６が配設され、該チルト部６を操作することによって該支柱支持フレーム５１の角度を変えることができるものとなっている。
【００１６】
ここで、チルト部６を説明する。
チルト部６は、一定間隔をおいた正面視において略扇状のチルトプレート６ｂ，６ｂにチルトボス６ａを挿通して固着している。
そして、該チルトプレート６ｂ，６ｂの扇状の根元付近に側面視において略コ字状に形成したチルトレバー６ｃを挿通して固着している。
このように構成されたチルト部６のチルトボス６ａを前記支柱支持フレーム５１の前記支持フレームツナギプレート５１ｃに軸着している。そして、ローラー６ｄ，６ｄを該チルトプレート６ｂ，６ｂの略Ｕ字状の溝６１ｂ，６１ｂに転動可能に軸着している。
このように下部フレーム５とチルト部６を構成することで、図示は省略するが、チルト部６のチルトレバー６ｃを操作することによって、チルトシテンボス５２ｊ，５２ｊを回動の中心として、支柱支持フレーム５１に対してチルトフレーム５２の利用者の脚側が水平より下になるように傾倒することが可能となっている。
これは、ストレッチャーの上に簡易浴槽を設けた際、簡易浴槽に溜まった湯等を排水し易くするためである。
【００１７】
そして、前記下部フレーム５には、切替部７が配設される。
図５等で示すように、この切替部７は、略コ字状の切替プレート７ａの一端に切替シテンボス７ｂを挿通し、該切替プレート７ａの上面には側面視において略コ字状の切替シテンプレート７ｃをそれぞれ固着し、側面視において略Ｌ字状の切替レバー７ｄを略扇状の切替ロックプレート７ｅに挿通して固着し、該切替シテンボス７ｂに該切替レバー７ｄを挿通して構成されている。
【００１８】
そして、前記下部フレーム５及び前記切替部７の上に、上部フレーム８を取り付けている。
この上部フレーム８は図５等に示すように、主に、背ボトム８１と腰ボトム８２と脚ボトム８３とからなり、背上げ手段９によって背上げ可能にしている。
まず、背ボトム８１は平面視において略コ字状に構成された背パイプ８１ａに背ツナギパイプ８１ｂ及び略コ字状に構成された背ツナギプレート８１ｃを固着している。
そして、背パイプ８１ａの一辺に一定間隔をおいた背シテンプレート８１ｄ，８１ｄを固着している。
また、該背ツナギパイプ８１ｂには平面視において略コ字状の切替バー８１ｅを固着している。
なお、背ボトム８１には頭受８１１が具備されている。
該頭受８１１は該背パイプ８１ａに固着された頭受プレート８１１ａ，８１１ａに側面視において略コ字状に屈曲した頭受支持パイプ８１１ｂを回動可能に軸着し、該頭受支持パイプ８１１ｂに樹脂製の頭受ガード８１１ｃを取着している。
【００１９】
次に、腰ボトム８２について説明する。
該腰ボトム８２は、平面視において略コ字状に構成された腰パイプ８２ａに腰ツナギパイプ８２ｂを固着している。
そして、該腰パイプ８２ａの一辺に一定間隔をおいた腰カムプレート８２ｃ，８２ｃを固着している。
そして、該腰パイプ８２ａの内側に略Ｌ字状の腰ボトムプレート８２ｄ，８２ｄを固着している。
【００２０】
次に、脚ボトム８３について説明する。
該脚ボトム８３は、平面視において略コ字状に構成された脚パイプ８３ａに脚ツナギパイプ８３ｂを固着している。
そして、該脚パイプ８３ａの一辺に一定間隔をおいた脚ボトムシテンプレート８３ｃ，８３ｃを固着している。
そして、該脚ツナギパイプ８３ｂに一定間隔をおいた脚ローラーシテンプレート８３ｄ，８３ｄを固着している。
なお、脚ボトム８３には脚受８１３が具備されている。
該脚受８１３は該脚パイプ８３ａに固着された脚受プレート８１３ａ，８１３ａに側面視において略コ字状に屈曲した脚受支持パイプ８１３ｂを回動可能に軸着し、該脚受支持パイプ８１３ｂに樹脂製の脚受ガード８１３ｃを取着している。
【００２１】
このように構成した下部フレーム５と上部フレーム８とチルト部６及び切替部７の組合せを説明する。
前記下部フレーム５の前記背ボトムシテンプレート５２ｇ，５２ｇと前記背ボトム８１の前記背シテンプレート８１ｄ，８１ｄと前記切替シテンプレート７ｃを回動可能に軸着している。
そして、該切替レバー７ｄを回動して、切替ロックプレート７ｅの溝部７１ｅを前記背ボトム８１の切替バー８１ｅに係止している。
そして、前記下部フレーム５の前記腰シテンプレート５２ｈ，５２ｈと前記腰ボトム８２の前記腰ボトムプレート８２ｄ，８２ｄを回動可能に軸着している。
そして、前記背ボトム８１の前記背シテンプレート８１ｄ，８１ｄと前記切替プレート７ａの一端に穿設した孔７１ａ，７１ａと前記腰ボトム８２の前記腰カムプレート８２ｃ，８２ｃを回動可能に軸着している。
なお、前記腰カムプレート８２ｃ，８２ｃの略ヘ字状に切り欠いた溝８２１ｃを腰ローラー８２ｆ，８２ｆで転動可能としている。
そして、前記下部フレーム５の前記脚ガイドプレート５２ｄ，５２ｄと前記脚ボトム８３の前記脚ローラーシテンプレート８３ｄ，８３ｄを回動可能に軸着している。
なお、該脚ボトムガイドプレート５２ｄ，５２ｄの長孔５２１ｄ，５２１ｄを脚ローラー８３ｆ，８３ｆで転動可能としている。
そして、前記腰ボトム８２の前記腰パイプ８２ａの両端に穿設した孔８２１ａ，８２１ａと前記脚ボトム８３の前記脚ボトムシテンプレート８３ｃ，８３ｃを回動可能に軸着している。
【００２２】
そして、図６に示すように、上部フレーム８の背上げ手段９として、前記下部フレーム５と前記背ボトム８１の間に伸縮部材９１ａを配設している。
この伸縮部材９１ａは本実施例ではガスシリンダーを用いており、このガスシリンダーを覆うように筒体９１ｂ内にガスシリンダーを挿通した状態で、下部フレーム５に枢着している。
そして、他端部には背ボトム８１の前記背ツナギプレート８１ｃの下部に固着された背ブラケット８１ｈ内で回動自在に枢着された背上げレバー８１ｉの回動操作によって、前記伸縮部材９１ａの一端を押圧可能に構成した外筒９１ｃを取り付けている。
つまり、このように構成した背上げ手段９は背上げレバー８１ｉの回動操作によって該伸縮手段９１ａのロック状態を解除して伸縮自在とし、任意の角度に変更することが可能である。
なお、本実施例だけでなく、上部フレーム８を背上げ可能なものであれば、本実施例に限定するものではない。
【００２３】
このように構成することで、切替部７を操作することで、背ボトム８１と腰ボトム８２と脚ボトム８３から成る上部フレーム８の連動と非連動の切り替えが可能となっている。
詳述すると、図７に示すように、前記切替レバー７ｄを正面視において時計回りに回動すると、前記切替ロックプレート７ｅの溝部７１ｅと前記背ボトム８１の前記切替バー８１ｅが係止した状態となる。この状態では、背ボトム８１と腰ボトム８２と脚ボトム８３が連動する状態となる。
そして、図８に示すように、反時計周りに回動すると、該溝部７１ｅと該切替バー８１ｅとの係止が解消され、さらに回動すると前記切替ロックプレート７ｅの溝部７２ｅと前記上部フレーム５の前記切替ピン５２ｅが係止した状態となる。この状態では、背ボトム８１に切替部７が係止しないため、背ボトム８１を単独で背上げ可能となっている。
【００２４】
そして、このストレッチャーＳには保持機構２で保持されるサイドレール１が具備されている。
まず、保持機構２は上部フレーム８の両側部に配設され、背ボトム８１側に第一サイドレール１１を保持するために、第一支持軸２１に第一取付部材２３を、第二支持軸２２に第二取付部材２４をそれぞれ回動可能に軸着し、腰ボトム８２と脚ボトム８３側に第二サイドレール１２を保持するために、第三支持軸２５に第二取付部材２４を、第四支持軸２６に第一取付部材２３をそれぞれ回動可能に軸着して構成されている。
そして、前述した保持機構２に、サイドレール１を構成する第一サイドレール１１を背ボトム８１に、第二サイドレール１２を腰ボトム８２及び脚ボトム８３にそれぞれ配設している。
なお、本発明に係るサイドレール１は樹脂製のものを使用しているが、本実施例に限定するものではなく、利用者を保護できるものであれば本実施例に限定するものではない。
そして、ストレッチャーＳ等の左右側縁部に対称状にそれぞれ設けているので、ここでは一方のサイドレール１について説明する。
まず、第一サイドレール１１について説明する。
この第一サイドレール１１は、前記ストレッチャーＳの背ボトム８１を構成する背パイプ８１ａの側縁部から僅かに突出するように設けられた支持プレート８１ｊ，８１ｊに保持機構２を構成する第一支持軸２１及び第二支持軸２２をそれぞれ固着し、これらに保持機構２を介して第一サイドレール１１を取付けて構成したものである。
なお、該第一支持軸２１と該第二支持軸２２は背ボトム８１の側縁部と平行になるように配設している。
【００２５】
まず、図９に示すように、第一支持軸２１は、段付軸形状であり、大径部２１ａと小径部２１ｂで構成されている。
一方、第二支持軸２２は、段付軸形状であり、大径部２２ａの両側に小径部２２ｂ及び水平長孔形状の規制孔２２ｄを設けた小径部２２ｃで構成されている。
そして、軸受２３ａを断面形状がＵ字状に構成した取付プレート２３ｂに固着した第一取付部材２３を前記第一支持軸２１に挿通している。
そして、第二取付部材２４は、軸受２４ａの上方にナット２４ｃ，２４ｃを備えた矩形状パイプ２４ｂを固着し、該矩形状パイプ２４ｂの前方には略コ字状のロックボスシジプレート２４ｄに支持される一定間隔をおいたロックシテンプレート２４ｅ，２４ｆを固着し、該ロックボスシジプレート２４ｄと該ロックシテンプレート２４e，２４ｆの前方にロックボス２４ｇを固着している。そして、該ロックシテンプレート２４ｅ，２４ｆの切欠部２４１ｅ，２４１ｆに、平面視において略Ｐ字形状のガイドプレート２４ｉを固着した、支点軸２４ｈを回動可能に軸着している。なお、該支点軸２４ｈの一端は六角形状２４１ｈで、他端は円柱形状２４２ｈとしている。
そして、該ロックボス２４ｇの段付孔２４１ｇに弾性体２４ｊを介してサイドレールロックピン２４ｋを挿通している。なお、弾性体２４ｊは本実施例では圧縮スプリングを使用したが、付勢する弾性体であれば本実施例に限定するものではない。
そして、該サイドレールロックピン２４ｋの一端を前記ガイドプレート２４ｉの丸孔２４１ｉに挿通した後、一端より下側に形成した角部２４１ｋを該丸孔２４１ｉと連続している長孔２４２ｉと係合している。
そして、支点オサエプレート２４ｌの孔２４１ｌに該支点軸２４ｈの該円柱形状２４２ｈを挿通し、該ロックシテンプレート２４ｆに止着している。
このように構成した前記第二取付部材２４の軸受２４ａを前記第二支持軸２２に挿通し、前記サイドレールロックピン２４ｋを該第二支持軸２２の規制孔２２ｄに挿通して係止している。
【００２６】
そして、図９に示すように、第一支持軸２１及び第二支持軸２２には、第一取付部材２３及び第二取付部材２４を介して第一サイドレールを取付けている。
そして、該第一サイドレール１１に設けた取付部１１ａに前記第一取付部材２３の前記取付プレート２３ｂを止着し、中空部１１１ｂを介して取付部１１ｂに前記第二取付部材２４を挿通して前記ナット２４ｃ，２４ｃに止着している。
さらに、該取付部１１ｂには断面形状がＵ字状に構成した取付プレート２４ｍを止着している。
そして、第一サイドレール１１の扇状凹部からなる操作部１１ｃの孔１１１ｃを介して、前記第二取付部材２４の支点軸２４ｈの六角形状２４１ｈに解除レバー２４ｎを挿嵌して止着している。
このように構成した第一サイドレール１１と保持機構２は、解除レバー２４ｎを操作することで該第二取付部材２４を該第二支持軸２２に対して垂直方向に回動可能にしている。
詳述すると、正面視において、第一サイドレール１１の解除レバー２４ｎを反時計回りに指で回動操作すると、該解除レバー２４ｎに係止された支点軸２４ｈが反時計周りに回動しようとする。この時、該支点軸２４ｈに固着された前記ガイドプレート２４ｉが反時計回りに回動して、前記サイドレールロックピン２４ｋを前記弾性体２４ｊの力に抗い、第一サイドレール１１の上方に押し上げる。すると、該サイドレールロックピン２４ｋが前記第二支持軸２２の規制孔２２ｄから外れ、第一サイドレール１１が回動可能になる。
【００２７】
次に、第二サイドレール１２について説明する。
この第二サイドレール１２は、前記ストレッチャーＳの腰ボトム８２を構成する腰パイプ８２ａの側縁部から僅かに突出するように設けられた円弧長孔形状の規制孔８２１ｅを設けた腰支持ボス８２ｅ及び脚ボトム８３を構成する脚パイプ８３ａの側縁部から僅かに突出するように設けられた長孔形状の規制孔８３１ｅを設けた平面視において略コ字状の脚ガイドプレート８３ｅに、それぞれ保持機構２を構成する第三支持軸２５及び第四支持軸２６を回動可能に軸着し、該保持機構２を介して第二サイドレール１２を取付けて構成したものである。
【００２８】
まず、図１０に示すように、第三支持軸２５は、大径部２５ａの両側に小径部２５ｂ及び水平長孔形状の規制孔２５ｄを設けた小径部２５ｃからなる段付軸形状であり、該大径部２５ａに取付軸２５ｅを固着し、該取付軸２５ｅの一端を前記腰支持ボス８２ｅに挿通し、該規制孔８２１ｅを介して螺子２５ｆで該取付軸２５ｅの雌螺子部２５１ｅを螺着している。
一方、第四支持軸２６は、大径部２６ａと小径部２６ｂからなる段付軸形状であり、該大径部２６ａに取付軸２６ｃを固着し、該取付軸２６ｃの一端を前記脚ガイドプレート８３ｅの規制孔８３１ｅに挿通し、該取付軸２６ｃの一端の雄螺子部２６１ｃをナット２６ｄで螺着している。
そして、前記第三支持軸２５には前記第二取付部材２４を、前記第四支持軸２６には前記第一取付部材２３をそれぞれ挿通し、該第一取付部材２３及び該第二取付部材２４を介して第二サイドレールを取付けている。
なお、第四支持軸２６に取付ける第一取付部材２３は、前述した第二支持軸２２に取付ける第二取付部材２４と左右対称に構成したものである。
そして、該第二サイドレール１２に設けた取付部１２ａに前記第一取付部材２３の前記取付プレート２３ｂを止着し、中空部１２１ｂを介して取付部１２ｂに前記第二取付部材２４を挿通して前記ナット２４ｃ，２４ｃに止着している。
さらに、該取付部１２ｂには断面形状がＵ字状に構成した取付プレート２４ｍを止着している。
そして、第二サイドレール１２の扇状凹部からなる操作部１２ｃの孔１２１ｃを介して、前記第二取付部材２４の支点軸２４ｈの六角形状２４１ｈに解除レバー２４ｎを挿嵌して止着している。
このように構成したサイドレール１は、解除レバー２４ｎがサイドレールの外側（介助者側）に配設されるので、利用者が不意に解除レバーに触ってしまい、ロック解除される心配が無く、安全に使用することができるものとなっている。また、サイドレール１の中に取付部材を配設するため、骨材が剥き出しになっておらず、利用者や介助者が怪我をする心配が無いものとなっている。
そして、本実施例では前記第一サイドレール１１と前記第二サイドレール１２は左右対称形状としている。
また、第一サイドレール１１と第二サイドレール１２を取付ける位置については、後述する非連動時の背上げの際に第一サイドレール１１が第二サイドレール１２に干渉しない位置に取付けている。
また、図９及び図１０等で示すように、面構成になっているサイドレール１の中に保持機構２を挿通し、解除レバー２４ｎのみストレッチャーＳの外側からロック解除操作できる構成にしていることで、利用者側からはサイドレール１の開閉操作ができないようにしたことにより、不意にサイドレール１が開閉して利用者が誤ってストレッチャー１から転落しないようにしている。
【００２９】
このように構成したサイドレール１と保持機構２及び上部フレーム８の背上げ時の状態を説明する。
まず、背ボトム８１と腰ボトム８２と脚ボトム８３が連動する場合を説明する。
連動する場合は、前述したように切替部７の切替ロックプレート７ｅの溝部７１ｅが前記背ボトム８１の前記切替バー８１ｅと係合している。
この状態で、背上げレバー８１ｉを操作して背ボトム８１の背上げ動作を行うと、該背ボトム８１が背上げされるのと同時に、腰ボトム８２と脚ボトム８３が連動し、利用者の膝を持ち上げるように動作する。
詳述すると、背ボトム８１は背上げすると前記背シテンプレート８１ｄ，８１ｄを回動中心として正面視において反時計周りに回動する。
この時、切替部７も該背シテンプレート８１ｄ，８１ｄを回転中心として反時計回りに回動する。
すると、正面視において腰ローラー８２ｆ，８２ｆが反時計周りに転動しながら腰カムプレート８２ｃ，８２ｃの略ヘ字状に切り欠いた溝８２１ｃ，８２１ｃを押圧することによって、腰ボトム８２の前記腰カムプレート８２ｃを回転中心として、腰ボトム８２が時計回りに回動する。
さらに、該腰ボトム８２の一端が前記脚ボトム８３と軸着されているため、該腰ボトム８２の時計回りの回動に合せて、該脚ボトム８３が反時計周りに回動しようとする。
この時、該脚ボトム８３の該脚ローラー８３ｆが前記下部フレーム５の前記脚ボトムガイドプレート５２ｄの長孔５２１ｄを転動しながら、該長孔５２１ｄの左端から右端に移動する。
この時、第一サイドレール１１は背ボトム８１と同時に反時計回りに回動する。
また、腰ボトム８２と脚ボトム８３に取付けられた第二サイドレール１２は、腰ボトム８２が反時計回りに回動するのに合せて、第三支持軸２５の取付軸２５ｅが腰支持ボス８２ｅ内を回動する。
上述したように、背ボトム８１の背上げに合せて腰ボトム８２と脚ボトム８３が連動して、正面視において略ハ字状に姿勢変更する際に、保持機構２を構成する第三支持軸２５及び第四支持軸２６も連動して動作することで、図７に示すように、第二サイドレール１２がやや右上方に傾きながら腰ボトム８２と脚ボトム８３を隆起することができるものとなっている。
なお、脚ガイドプレート８３ｅと腰支持ボス８２ｅの関係について、腰パイプ８２ａの孔８２１ａを腰ボトム８２と脚ボトム８３の回転の支点とすると、該孔８２１ａに対して脚ガイドプレート８３ｅを腰支持ボス８２ｅより遠い位置に固着している。これは、第二サイドレール１２が動作した際、やや右上方に傾くようにすることで、図１１（ｃ）で示した、腰ボトム８２と第二サイドレール１２によるすき間Ｃｄを発生させないようにするためである。また、右上方に第二サイドレール１２が傾くことは、腰ボトム８２に対して、第二サイドレール１２とのすき間の幅が広がる方向に動作するため、より安心して使用できるものとなっている。
つまり、上部フレーム８とサイドレール１及び保持機構２によって、利用者の膝を持ち上げるようにして、利用者が座位（長座位）姿勢になった時の前滑りを軽減することができ、且つ、サイドレール１と上部フレーム８にすき間の幅が変わらない、もしくは広がることによって利用者や介助者の身体が挟まれる心配をする必要が無く、安全に使用することができるものとなっている。
【００３０】
次に、背ボトム８１と腰ボトム８２と脚ボトム８３が非連動の場合を説明する。
非連動にする場合は、前述したように、切替部７の切替レバー７ｄを正面視において反時計回りに回動させて、前記切替ロックプレート７ｅの溝部７２ｅを前記下部フレーム５の前記切替ピン５２ｅに係止させることで、腰ボトム８２と脚ボトム８３との係合関係を解除することで、背ボトム８１のみ背上げ可能にしている。
その状態で、背上げレバー８１ｉを操作して背ボトム８１の背上げを行う。
この時、背ボトム８１に取り付けられた第一サイドレール１１が背ボトム８１の起立に合せて正面視において反時計回りに回動するが、第二サイドレール１２は腰ボトム８２と脚ボトム８３が回動しないので保持機構２も動作することは無く、そのままの位置を保っている。
このように構成したサイドレール１と保持機構２によって、図７に示すように上部フレーム８が連動状態の第一サイドレール１１と第二サイドレール１２のすき間Ｃｅと、図８に示すように上部フレーム８が非連動状態の第一サイドレール１１と第二サイドレール１２とのすき間Ｃｆを略同等とすることができる。
つまり、いずれの状態であっても利用者の手などの挟み込みの範囲が変わらないため、安全に使用することができるものとなっている。
【００３１】
このように構成したサイドレール１と保持機構２は、背ボトム８１と腰ボトム８２と脚ボトム８３からなる上部フレーム８が連動もしくは非連動どちらであっても、第一サイドレール１１と第二サイドレール１２からなるサイドレール１のすき間Ｃｅ及びＣｆが変わらないことで、挟み込みの範囲が変わらないものとなっており安全に使用できるものとなっている。
また、臀部や背中など入念に洗体介助を実施したい場合には、背上げ時でも必要に応じていずれかのサイドレールを単独で開閉することができるため、利用者が転落するのを防ぐことができ、安全に洗体介助をすることができるものとなっている。
また、サイドレール１を面構成にしたことで、ストレッチャーの利用者側からは解除レバー２４ｎを操作できなくしたことにより、不意にサイドレール１が倒れて誤って利用者がストレッチャーＳから転落する心配が無いものとなっている。
【００３２】
本願発明は実施例に示したものだけでなく、ベッド用のサイドレール等にも応用することができる。
【符号の説明】
【００３３】
１      サイドレール
１１    第一サイドレール
１２    第二サイドレール
２      保持機構
２１    第一支持軸
２２    第二支持軸
２３    第一取付部材
２４    第二取付部材
２５    第三支持軸
２６    第四支持軸
３      ベースフレーム
４      支柱
５      下部フレーム
６      チルト部
７      切替部
８      上部フレーム
８１    背ボトム
８２    腰ボトム
８３    脚ボトム
９      背上げ手段
Ｓ      ストレッチャー
Ｍ      マット
Ｐ      マクラ
Ｂ      安全ベルト
【図１】
0006712381.tif 000002
【図２】
0006712381.tif 000003
【図３】
0006712381.tif 000004
【図４】
0006712381.tif 000005
【図５】
0006712381.tif 000006
【図６】
0006712381.tif 000007
【図７】
0006712381.tif 000008
【図８】
0006712381.tif 000009
【図９】
0006712381.tif 000010
【図１０】
0006712381.tif 000011
【図１１】
0006712381.tif 000012